(57)【要約】本発明は、複数の端末機のＲＲＣ接続要求を拒否するに際して１つのカウント終了命令を送信して前記ＲＲＣ接続要求を拒否することにより、無線資源の浪費を最小化し、前記ＲＲＣ接続を要求をした端末機に対する迅速な応答を可能にする方法及び装置を提供する。第１チャネルでネットワークからのＲＲＣ接続必要メッセージに応答して複数の端末機がＲＲＣ接続要求メッセージをネットワークに送信する。それぞれの端末機は、第２チャネルを監視してＲＲＣ接続設定メッセージの受信を待機する。前記ネットワークは、第２チャネルでそれぞれの端末機にＲＲＣ接続設定メッセージを送信することにより、予め設定された数の端末機との接続を確立し、その後、第１チャネルで前記複数の端末機に１つのＲＲＣ接続不必要メッセージを送信する。
2006512875.tif 000002
【特許請求の範囲】
【請求項１】
第１チャネルで接続必要インジケータを含む第１接続メッセージを受信する段階と、
ネットワークからの応答メッセージを要求する接続要求メッセージを送信する段階と、
第２チャネルで受信される前記応答メッセージの受信を所定時間待機する段階と、
前記応答メッセージが前記所定時間内に受信されなかった場合、第１チャネルで第２接続メッセージを受信する段階と、
前記第２接続メッセージに応答して前記接続要求メッセージをネットワークに再転送するか否かを決定するに際して、前記第２接続メッセージが接続必要インジケータを含む場合は前記接続要求メッセージが再転送され、前記第２接続メッセージが接続不必要インジケータを含む場合は前記接続要求メッセージが再送信されない段階と、
から構成されることを特徴とする無線通信システムにおけるネットワークとの通信方法。
【請求項２】
前記接続要求メッセージを送信した後、前記第１チャネルから第２チャネルに切り替える段階と、
前記所定時間待機した後、前記第２チャネルから第１チャネルに切り替える段階とをさらに含むことを特徴とする請求項１に記載の無線通信システムにおけるネットワークとの通信方法。
【請求項３】
前記第１接続メッセージ、応答メッセージ、第２接続応答メッセージが、ユーザーサービスに関連したことを特徴とする請求項１に記載の無線通信システムにおけるネットワークとの通信方法。
【請求項４】
前記ユーザーサービスが、マルチメディアブロードキャストマルチキャストサービス（ＭＢＭＳ）を含むことを特徴とする請求項３に記載の無線通信システムにおけるネットワークとの通信方法。
【請求項５】
前記接続要求メッセージが、無線資源制御（ＲＲＣ）接続要求メッセージであることを特徴とする請求項１に記載の無線通信システムにおけるネットワークとの通信方法。
【請求項６】
前記応答メッセージが、ＲＲＣ接続設定メッセージであることを特徴とする請求項１に記載の無線通信システムにおけるネットワークとの通信方法。
【請求項７】
前記第１接続メッセージがＲＲＣ接続必要メッセージであり、前記第２接続メッセージが、ＲＲＣ接続必要メッセージ又はＲＲＣ接続不必要メッセージのいずれか１つであることを特徴とする請求項１に記載の無線通信システムにおけるネットワークとの通信方法。
【請求項８】
第１チャネルで接続必要インジケータを含む第１接続メッセージを受信する段階と、
第２チャネルでネットワークからの応答メッセージを要求する接続要求メッセージを送信することによりユーザーサービスに関連したネットワーク接続過程を開始する段階と、
前記第２チャネルで受信される前記応答メッセージの受信を待機する段階と、
端末機の内部イベントである第１インタラプト（割り込み）イベントと端末機外部イベントである第２インタラプトイベントが発生すると、前記ネットワーク接続過程を終了する段階と、
から構成されることを特徴とする無線通信システムにおけるネットワークとの通信方法。
【請求項９】
前記ネットワーク接続過程を終了する段階が、前記接続要求メッセージを再送信しない段階をさらに含むことを特徴とする請求項８に記載の無線通信システムにおけるネットワークとの通信方法。
【請求項１０】
前記第１インタラプトイベントが、予め設定された時間周期を有するタイマーの満了であることを特徴とする請求項８に記載の無線通信システムにおけるネットワークとの通信方法。
【請求項１１】
前記第２インタラプトイベントが、前記第１チャネルで接続不必要インジケータを含む第２接続メッセージを受信する段階を含むことを特徴とする請求項８に記載の無線通信システムにおけるネットワークとの通信方法。
【請求項１２】
前記第２接続メッセージが、ＲＲＣ接続不必要メッセージであることを特徴とする請求項１１に記載の無線通信システムにおけるネットワークとの通信方法。
【請求項１３】
予め設定された時間周期を有するタイマーの満了である第１インタラプトイベントと端末機の外部イベントである第３インタラプトイベントが発生すると、接続要求メッセージを再送信する段階をさらに含むことを特徴とする請求項８に記載の無線通信システムにおけるネットワークとの通信方法。
【請求項１４】
前記第３インタラプトイベントが、前記第１チャネルで接続必要インジケータを含む第２接続メッセージを受信する段階を含むことを特徴とする請求項１３に記載の無線通信システムにおけるネットワークとの通信方法。
【請求項１５】
前記第２接続メッセージが、ＲＲＣ接続必要メッセージであることを特徴とする請求項１４に記載の無線通信システムにおけるネットワークとの通信方法。
【請求項１６】
前記第１チャネルと第２チャネルが、論理チャネル、転送チャネル又は物理チャネルのいずれか１つであることを特徴とする請求項８に記載の無線通信システムにおけるネットワークとの通信方法。
【請求項１７】
前記第１チャネルがＭＢＭＳ制御チャネルであり、前記第２チャネルが共通制御チャネルであることを特徴とする請求項１６に記載の無線通信システムにおけるネットワークとの通信方法。
【請求項１８】
前記ユーザーサービスが、ＭＢＭＳサービスを含むことを特徴とする請求項８に記載の無線通信システムにおけるネットワークとの通信方法。
【請求項１９】
前記接続要求メッセージが、ＲＲＣ接続要求メッセージであることを特徴とする請求項８に記載の無線通信システムにおけるネットワークとの通信方法。
【請求項２０】
前記応答メッセージが、ＲＲＣ接続設定メッセージであることを特徴とする請求項８に記載の無線通信システムにおけるネットワークとの通信方法。
【請求項２１】
前記第１接続メッセージが、ＲＲＣ接続必要メッセージであることを特徴とする請求項８に記載の無線通信システムにおけるネットワークとの通信方法。
【請求項２２】
第１チャネルでサービスに加入した複数の端末機に前記サービスに関連した接続必要インジケータから構成される第１接続メッセージを送信する段階と、
前記複数の端末機のうち少なくとも１つの端末機から接続要求メッセージを受信する段階と、
第２チャネルで前記複数の端末機のうち１つの特定端末機に該当端末機に関連した接続設定インジケータから構成される第２接続メッセージを送信する段階と、
前記受信された接続要求メッセージの数に基づいて前記サービスに関連した接続必要情報又は接続不必要情報のいずれか１つを含む第３接続メッセージを第１チャネルで前記複数の端末機に送信する段階と、
から構成されることを特徴とする無線通信システムにおける複数の端末機との通信方法。
【請求項２３】
前記受信された接続要求メッセージの数が予め設定された臨界値未満の場合、前記第３接続メッセージが接続必要情報を含み、前記受信された接続要求メッセージの数が予め設定された臨界値以上の場合、前記第３接続メッセージが接続不必要情報を含むことを特徴とする請求項２２に記載の無線通信システムにおける複数の端末機との通信方法。
【請求項２４】
前記サービスが、ポイントツーマルチポイントサービスを含むことを特徴とする請求項２２に記載の無線通信システムにおける複数の端末機との通信方法。
【請求項２５】
第２チャネルで前記複数の端末機のうち他の１つの特定端末機にそれぞれ送信され、かつ、前記特定の端末機に関連した接続設定インジケータを含む複数の接続メッセージを送信する段階をさらに含むことを特徴とする請求項２２に記載の無線通信システムにおける複数の端末機との通信方法。
【請求項２６】
前記第２接続メッセージが、前記特定の端末機に対する端末機識別子を含むことを特徴とする請求項２２に記載の無線通信システムにおける複数の端末機との通信方法。
【請求項２７】
前記第３接続メッセージが、前記サービスに対するサービス識別子を含むことを特徴とする請求項２２に記載の無線通信システムにおける複数の端末機との通信方法。
【請求項２８】
前記第１接続メッセージが、ＲＲＣ接続必要メッセージであることを特徴とする請求項２２に記載の無線通信システムにおける複数の端末機との通信方法。
【請求項２９】
前記接続要求メッセージの少なくとも１つがＲＲＣ接続要求メッセージであることを特徴とする請求項２２に記載の無線通信システムにおける複数の端末機との通信方法。
【請求項３０】
前記第２接続メッセージが、ＲＲＣ接続設定メッセージであることを特徴とする請求項２２に記載の無線通信システムにおける複数の端末機との通信方法。
【請求項３１】
前記第３接続メッセージが、ＲＲＣ接続必要メッセージ又はＲＲＣ接続不必要メッセージのいずれか１つであることを特徴とする請求項２２に記載の無線通信システムにおける複数の端末機との通信方法。
【請求項３２】
応答メッセージを要求するためにネットワークに接続要求メッセージを送信することにより、ユーザーサービスに関連したネットワーク接続過程を開始する送信器と、
ユーザーに情報を伝達するディスプレイと、
ネットワーク接続とユーザーサービスに関連した情報を保存するメモリ部と、
接続必要インジケータを含む第１接続メッセージと接続必要インジケータ又は接続不必要インジケータのいずれか１つを含む第２接続メッセージとを第１チャネルで受信し、ネットワークからの接続応答メッセージを第２チャネルで受信する受信器と、
前記接続要求メッセージが送信された後、応答メッセージの受信を所定時間待機し、前記所定時間内に前記応答メッセージが受信されると、前記第２接続メッセージの内容を推定し、前記第２接続メッセージが接続必要インジケータを含んでいる場合は前記接続要求メッセージを再送信し、前記第２接続メッセージが接続不必要インジケータを含んでいる場合は前記ネットワーク接続過程を終了する処理部と、
から構成されることを特徴とする無線通信システムにおけるネットワークとの通信のための端末機。
【請求項３３】
前記処理部が、前記ネットワーク接続過程が終了すると、前記接続要求メッセージを再送信しないことを特徴とする請求項３２に記載の無線通信システムにおけるネットワークとの通信のための端末機。
【請求項３４】
前記ユーザーサービスが、ＭＢＭＳサービスを含むことを特徴とする請求項３２に記載の無線通信システムにおけるネットワークとの通信のための端末機。
【請求項３５】
前記接続要求メッセージが、ＲＲＣ接続要求メッセージであることを特徴とする請求項３２に記載の無線通信システムにおけるネットワークとの通信のための端末機。
【請求項３６】
前記応答メッセージが、ＲＲＣ接続設定メッセージであることを特徴とする請求項３２に記載の無線通信システムにおけるネットワークとの通信のための端末機。
【請求項３７】
前記第１接続メッセージがＲＲＣ接続必要メッセージであり、前記第２接続メッセージがＲＲＣ接続必要メッセージ又はＲＲＣ接続不必要メッセージのいずれか１つであることを特徴とする請求項３２に記載の無線通信システムにおけるネットワークとの通信のための端末機。
【請求項３８】
前記第１チャネル及び第２チャネルが、論理チャネル、転送チャネル又は物理チャネルのいずれか１つであることを特徴とする請求項３２に記載の無線通信システムにおけるネットワークとの通信のための端末機。
【請求項３９】
前記第１チャネルがＭＢＭＳ制御チャネルであり、前記第２チャネルが共通制御チャネルであることを特徴とする請求項３８に記載の無線通信システムにおけるネットワークとの通信のための端末機。
【請求項４０】
第１チャネルでサービスに加入した複数の端末機に前記サービスに関連した接続必要指示を含む第１接続メッセージを送信し、第２チャネルで前記複数の端末機の少なくとも１つの特定端末機に該当端末機に関連した接続設定指示を含む第２接続メッセージを送信し、前記第１チャネルで前記複数の端末機に接続必要情報又は接続不必要情報のいずれか１つを含む第３接続メッセージを送信する送信器と、
前記複数の端末機の少なくとも１つの端末機から接続要求メッセージを受信する受信器と、
ネットワーク接続、ユーザーサービス、接続要求メッセージカウントに関連した情報を貯蔵する貯蔵部と、
第２接続メッセージを送信する少なくとも１つの特定端末機を判断し、受信された接続要求メッセージの数に基づいて前記第３接続メッセージが接続必要情報を含むべきか接続不必要情報を含むべきかを判断する制御装置と、
から構成されることを特徴とする無線通信システムにおける複数の端末機との通信のためのネットワーク。
【請求項４１】
前記受信された接続要求メッセージの数が予め設定された臨界値未満の場合は前記第３接続メッセージが接続必要情報を含み、前記受信された接続要求メッセージの数が予め設定された臨界値以上の場合は前記第３接続メッセージが接続不必要情報を含むことを特徴とする請求項４０に記載の無線通信システムにおける複数の端末機との通信のためのネットワーク。
【請求項４２】
前記サービスが、ポイントツーマルチポイントサービスを含むことを特徴とする請求項４０に記載の無線通信システムにおける複数の端末機との通信のためのネットワーク。
【請求項４３】
前記制御装置が、複数の端末機のうち１つの特定端末機に送信され、かつ、該当端末機に関連した接続設定指示を含む複数の接続メッセージを送信することを特徴とする請求項４０に記載の無線通信システムにおける複数の端末機との通信のためのネットワーク。
【請求項４４】
前記制御装置が、前記第２接続メッセージに複数の端末機の少なくとも１つの特定端末機に対する端末機識別子を含むことを特徴とする請求項４０に記載の無線通信システムにおける複数の端末機との通信のためのネットワーク。
【請求項４５】
前記制御装置が、前記第３接続メッセージに前記サービスに対するサービス識別子を含めることを特徴とする請求項４０に記載の無線通信システムにおける複数の端末機との通信のためのネットワーク。
【請求項４６】
前記第１接続メッセージが、ＲＲＣ接続必要メッセージであることを特徴とする請求項４０に記載の無線通信システムにおける複数の端末機との通信のためのネットワーク。
【請求項４７】
前記接続要求メッセージの少なくとも１つがＲＲＣ接続要求メッセージであることを特徴とする請求項４０に記載の無線通信システムにおける複数の端末機との通信のためのネットワーク。
【請求項４８】
前記第２接続メッセージが、ＲＲＣ接続設定メッセージであることを特徴とする請求項４０に記載の無線通信システムにおける複数の端末機との通信のためのネットワーク。
【請求項４９】
前記第３接続メッセージが、ＲＲＣ接続必要メッセージ又はＲＲＣ接続不必要メッセージのいずれか１つであることを特徴とする請求項４０に記載の無線通信システムにおける複数の端末機との通信のためのネットワーク。
【発明の詳細な説明】
【技術分野】
【０００１】
本発明は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）におけるアイドル状態（Ｉｄｌｅ  Ｓｔａｔｅ）の端末機とＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）間の初期接続である無線資源制御（Ｒａｄｉｏ  Ｒｅｓｏｕｒｃｅ  Ｃｏｎｔｒｏｌ：  ＲＲＣ）接続を提供する方法及び装置に関し、特に、端末機がＲＲＣ接続要求メッセージを送信した後、第１チャネルを一定時間受信し、前記第１チャネルで前記ＲＲＣ要求メッセージに対する応答メッセージが受信されない場合、第２チャネルで提供される集計状況情報に基づいて前記ＲＲＣ接続要求メッセージを再送信するか否かを決定する移動通信のためのＲＲＣ接続要求方法及び装置に関する。
【背景技術】
【０００２】
ＵＭＴＳは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）として周知のヨーロッパ式標準から進化したヨーロッパ型第３世代ＩＭＴ−２０００移動通信システムである。ＵＭＴＳは、ＧＳＭコアネットワーク（Ｃｏｒｅ  Ｎｅｔｗｏｒｋ）とＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤に、より向上した移動通信サービスを提供することを目標としている。
【０００３】
１９９８年１２月にヨーロッパのＥＴＳＩ、日本のＡＲＩＢ／ＴＴＣ、米国のＴ１、韓国のＴＴＡなどは、第３世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ：  ３ＧＰＰ）を構成した。前記３ＧＰＰは、ＵＭＴＳ技術の細部的な標準規格（Ｓｐｅｃｉｆｉｃａｔｉｏｎ）を作成する。
【０００４】
ＵＭＴＳの迅速で効率的な技術開発のために、ネットワーク要素とその運営との独立的な特性を考慮して３ＧＰＰの内部にＵＭＴＳを標準化する５つのＴＳＧ（Ｔｅｃｈｎｉｃａｌ  Ｓｐｅｃｉｆｉｃａｔｉｏｎ  Ｇｒｏｕｐｓ）を備えている。それぞれのＴＳＧは、関連領域内で標準規格の開発、承認、管理を担当する。前記ＴＳＧのうちＴＳＧ−ＲＡＮ（Ｒａｄｉｏ  Ａｃｃｅｓｓ  Ｎｅｔｗｏｒｋ）グループは、ＵＭＴＳにおけるＷＣＤＭＡ接続技術を提供するための新しいＲＡＮであるＵＴＲＡＮの機能、要求事項、インターフェースに対する規格を開発する。
【０００５】
図１は、一般的なＵＭＴＳの基本構造の一実施形態を示す。
【０００６】
図１に示すように、ＵＭＴＳは、端末機（ｔｅｒｍｉｎａｌ）（又は、携帯端末機（ｕｓｅｒ  ｅｑｕｉｐｍｅｎｔ：  ＵＥ））１０と、ＵＴＲＡＮ２０と、コアネットワーク（Ｃｏｒｅ  Ｎｅｔｗｏｒｋ：  ＣＮ）３０とに大別される。
【０００７】
ＵＴＲＡＮ２０は、１つ以上の無線ネットワークサブシステム（Ｒａｄｉｏ  Ｎｅｔｗｏｒｋ  Ｓｕｂ−ｓｙｓｔｅｍ：  ＲＮＳ）２５を含む。それぞれのＲＮＳ２５は、無線ネットワーク制御装置（ｒａｄｉｏ  ｎｅｔｗｏｒｋ  ｃｏｎｔｒｏｌｌｅｒ：  ＲＮＣ）２３とＲＮＣ２３により管理される複数の基地局（ｂａｓｅ  ｓｔａｔｉｏｎ：Ｎｏｄｅ−Ｂ）２１を含む。ＲＮＣ２３は、無線資源を割り当てて管理し、コアネットワーク３０に対するアクセスポイント（ａｃｃｅｓｓ  ｐｏｉｎｔ）として動作する。
【０００８】
Ｎｏｄｅ−Ｂ２１は、アップリンク（ｕｐｌｉｎｋ）で端末機１０の物理層（ｐｈｙｓｉｃａｌ  ｌａｙｅｒ）から情報を受信し、ダウンリンク（ｄｏｗｎｌｉｎｋ）で端末機１０にデータを転送する。Ｎｏｄｅ−Ｂ２１は、端末機１０に対するＵＴＲＡＮ２０のアクセスポイントとして動作する。
【０００９】
ＵＴＲＡＮ２０は、端末機１０とコアネットワーク３０との間の通信のために無線アクセスベアラ（ｒａｄｉｏ  ａｃｃｅｓｓ  ｂｅａｒｅｒ：  ＲＡＢ）を構成して維持する。コアネットワーク３０は、前記ＲＡＢからのエンドツーエンド（ｅｎｄ−ｔｏ−ｅｎｄ）ＱｏＳ（ｑｕａｌｉｔｙ  ｏｆ  ｓｅｒｖｉｃｅ）要求を出し、前記ＲＡＢは、コアネットワーク３０が設定したＱｏＳ要求をサポートする。従って、ＵＴＲＡＮ２０は、ＲＡＢを構成して維持することにより、前記エンドツーエンドＱｏＳ要求を満足する。
【００１０】
特定端末機１０に提供されるサービスは、回線交換（Ｃｉｒｃｕｉｔ−Ｓｗｉｔｃｈｅｄ：  ＣＳ）サービスとパケット交換（Ｐａｃｋｅｔ−Ｓｗｉｔｃｈｅｄ：  ＰＳ）サービスとに大別される。例えば、一般的な音声対話サービスはＣＳサービスであり、インターネット接続によるウェブブラウジング（Ｗｅｂ  ｂｒｏｗｓｉｎｇ）サービスはＰＳサービスである。
【００１１】
前記ＣＳサービスを提供するために、ＲＮＣ２３は、コアネットワーク３０の移動交換局（Ｍｏｂｉｌｅ  Ｓｗｉｔｃｈｉｎｇ  Ｃｅｎｔｅｒ：ＭＳＣ）３１に接続され、ＭＳＣ３１は、他のネットワークとの接続を管理するゲートウェイＭＳＣ（Ｇａｔｅｗａｙ  ＭＳＣ：ＧＭＳＣ）３３に接続する。前記ＰＳサービスを提供するために、ＲＮＣ２３は、コアネットワーク３０のＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）３５とＧＧＳＮ（Ｇａｔｅｗａｙ  ＧＰＲＳ  Ｓｕｐｐｏｒｔ  Ｎｏｄｅ）３７に接続される。ＳＧＳＮ３５は、ＲＮＣ２３とのパケット通信をサポートし、ＧＧＳＮ３７は、インターネットのような他のＰＳネットワークとの接続を管理する。
【００１２】
図２は、３ＧＰＰ無線接続ネットワーク規格に従った端末機１０とＵＴＲＡＮ２０との間の無線インターフェース（Ｒａｄｉｏ  Ｉｎｔｅｒｆａｃｅ）プロトコルの構造を示す。
【００１３】
図２に示すように、無線インターフェースプロトコルは、物理層、データリンク層、ネットワーク層からなる水平的レイヤと、ユーザーデータの転送のためのユーザプレーン（Ｕｓｅｒ  Ｐｌａｎｅ：  Ｕ−ｐｌａｎｅ）と制御情報の転送のための制御プレーン（Ｃｏｎｔｒｏｌ  Ｐｌａｎｅ：  Ｃ−ｐｌａｎｅ）からなる垂直的プレーンとを有する。
【００１４】
前記ユーザプレーンは、音声やインターネットプロトコル（Ｉｎｔｅｒｎｅｔ  Ｐｒｏｔｏｃｏｌ：  ＩＰ）パケットのようなユーザーのトラヒック（ｔｒａｆｆｉｃ）情報を取り扱う領域であり、前記制御プレーンは、ネットワークのインターフェース、呼の維持及び管理などに関する制御情報を取り扱う領域である。
【００１５】
図２のプロトコル層は、開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層Ｌ１、第２層Ｌ２、第３層Ｌ３に区分される。
【００１６】
第１層Ｌ１、すなわち、物理層は、多様な無線伝送技術を利用して上位層に情報転送サービス（Ｉｎｆｏｒｍａｔｉｏｎ  Ｔｒａｎｓｆｅｒ  Ｓｅｒｖｉｃｅ）を提供する。前記物理層は、媒体アクセス制御（Ｍｅｄｉａ  Ａｃｃｅｓｓ  Ｃｏｎｔｒｏｌ：  ＭＡＣ）層という上位層に転送チャネル（Ｔｒａｎｓｐｏｒｔ  Ｃｈａｎｎｅｌ）で接続される。前記転送チャネルで前記ＭＡＣ層と物理層との間にデータが交換される。
【００１７】
第２層Ｌ２は、ＭＡＣ層、無線リンク制御（Ｒａｄｉｏ  Ｌｉｎｋ  Ｃｏｎｔｒｏｌ：  ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。
【００１８】
前記ＭＡＣ層は、論理チャネル（Ｌｏｇｉｃａｌ  Ｃｈａｎｎｅｌ）と転送チャネルとの間のマッピング（ｍａｐｐｉｎｇ）を行い、無線資源の割り当てと再割り当てのためのＭＡＣパラメータの割り当てを提供する。前記ＭＡＣ層は、ＲＬＣ層という上位層と論理チャネルで接続され、転送情報の種類によって多様な論理チャネルが提供される。一般に、制御プレーンの情報を転送する場合は制御チャネル（Ｃｏｎｔｒｏｌ  Ｃｈａｎｎｅｌ）が利用され、ユーザプレーンの情報を転送する場合はトラヒックチャネル（Ｔｒａｆｆｉｃ  Ｃｈａｎｎｅｌ）が利用される。
【００１９】
論理チャネルは、その論理チャネルを共有しているか否かによって共通チャネル（Ｃｏｍｍｏｎ  Ｃｈａｎｎｅｌ：  ＣＣＨ）又は専用チャネル（Ｄｅｄｉｃａｔｅｄ  Ｃｈａｎｎｅｌ：  ＤＣＨ）になる。前記論理チャネルは、専用トラヒックチャネル（Ｄｅｄｉｃａｔｅｄ  Ｔｒａｆｆｉｃ  Ｃｈａｎｎｅｌ：  ＤＴＣＨ）、専用制御チャネル（Ｄｅｄｉｃａｔｅｄ  Ｃｏｎｔｒｏｌ  Ｃｈａｎｎｅｌ：  ＤＣＣＨ）、共通トラヒックチャネル（Ｃｏｍｍｏｎ  Ｔｒａｆｆｉｃ  Ｃｈａｎｎｅｌ：  ＣＴＣＨ）、共通制御チャネル（Ｃｏｍｍｏｎ  Ｃｏｎｔｒｏｌ  Ｃｈａｎｎｅｌ：  ＣＣＣＨ）、放送制御チャネル（Ｂｒｏａｄｃａｓｔ  Ｃｏｎｔｒｏｌ  Ｃｈａｎｎｅｌ：  ＢＣＣＨ）、ページング制御チャネル（Ｐａｇｉｎｇ  Ｃｏｎｔｒｏｌ  Ｃｈａｎｎｅｌ：  ＰＣＣＨ）を含む。前記ＢＣＣＨは、システムに接続するために端末機１０が活用する情報を含む情報を提供する。前記ＰＣＣＨは、端末機１０に接続するためにＵＴＲＡＮ２０によって使用される。
【００２０】
前記ＭＡＣ層は、転送チャネルによって物理層と接続され、管理する転送チャネルの種類によってＭＡＣ−ｂサブレイヤ（Ｓｕｂ−ｌａｙｅｒ）、ＭＡＣ−ｄサブレイヤ、ＭＡＣ−ｃ／ｓｈサブレイヤ、ＭＡＣ−ｈｓサブレイヤに区分される。前記ＭＡＣ−ｂサブレイヤは、システム情報（Ｓｙｓｔｅｍ  Ｉｎｆｏｒｍａｔｉｏｎ）のブロードキャストを担当する転送チャネルであるＢＣＨ（Ｂｒｏａｄｃａｓｔ  Ｃｈａｎｎｅｌ）を管理する。前記ＭＡＣ−ｃ／ｓｈサブレイヤは、複数の端末機と共有するフォワードアクセスチャネル（Ｆｏｒｗａｒｄ  Ａｃｃｅｓｓ  Ｃｈａｎｎｅｌ：  ＦＡＣＨ）、ダウンリンク共有チャネル（Ｄｏｗｎｌｉｎｋ  Ｓｈａｒｅｄ  Ｃｈａｎｎｅｌ：  ＤＳＣＨ）のような共通転送チャネルを管理する。前記ＭＡＣ−ｄサブレイヤは、特定端末機１０に対する専用転送チャネルであるＤＣＨを管理する。従って、ＭＡＣ−ｄサブレイヤは、該当端末機を管理するＳＲＮＣ（Ｓｅｒｖｉｎｇ  ＲＮＣ）に位置し、各端末機にもＭＡＣ−ｄサブレイヤが１つずつ存在する。
【００２１】
前記ＲＬＣ層は、信頼性のあるデータの転送をサポートし、上位層から転送された複数のＲＬＣサービスデータ単位（Ｓｅｒｖｉｃｅ  Ｄａｔａ  Ｕｎｉｔ：ＳＤＵ）の分割（ｓｅｇｍｅｎｔａｔｉｏｎ）及び連結（ｃｏｎｃａｔｅｎａｔｉｏｎ）機能を果たす。上位層からＲＬＣ層に前記ＲＬＣ  ＳＤＵを受信すると、前記ＲＬＣ層は、処理容量に応じた適切な方法によってそれぞれのＲＬＣ  ＳＤＵのサイズを調節し、ヘッダ（Ｈｅａｄｅｒ）情報を加えてデータ単位（Ｄａｔａ  Ｕｎｉｔ）を生成する。前記データ単位は、プロトコルデータ単位（Ｐｒｏｔｏｃｏｌ  Ｄａｔａ  Ｕｎｉｔ：ＰＤＵ）と呼ばれ、論理チャネルで前記ＭＡＣ層に提供される。前記ＲＬＣ層は、前記ＲＬＣ  ＳＤＵ又はＲＬＣ  ＰＤＵを保存するためのＲＣバッファを含む。
【００２２】
前記ＢＭＣ層は、前記コアネットワークから提供されたセルブロードキャスト（Ｃｅｌｌ  Ｂｒｏａｄｃａｓｔ：  ＣＢ）メッセージをスケジューリングし、特定セル又はセルに位置した端末機１０に前記ＣＢメッセージを放送する機能を果たす。
【００２３】
前記ＰＤＣＰ層は、ＲＬＣ層の上位に位置し、ＩＰｖ４やＩＰｖ６のようなネットワークプロトコルデータを相対的に狭い帯域幅を有する無線インターフェース上で効率的に転送するために使用される。このために、ＰＤＣＰ層は、有線ネットワークにおいて使用される不必要な制御情報を減らす機能を果たし、この機能をヘッダ圧縮（Ｈｅａｄｅｒ  Ｃｏｍｐｒｅｓｓｉｏｎ）と言う。
【００２４】
第３層Ｌ３の最下部に位置する無線資源制御（Ｒａｄｉｏ  Ｒｅｓｏｕｒｃｅ  Ｃｏｎｔｒｏｌ：ＲＲＣ）層は制御プレーンにおいてのみ定義される。前記ＲＲＣ層は、無線ベアラ（Ｒａｄｉｏ  Ｂｅａｒｅｒ：  ＲＢ）の設定、再構成、解除又は取消に関連して転送チャネル及び物理チャネルを制御する。前記ＲＢは、端末機１０とＵＴＲＡＮ２０との間のデータ転送のために第２層Ｌ２によって提供されるサービスである。一般に、ＲＢの設定とは、特定データサービスの提供のために必要なプロトコル層とチャネルの特性を規定し、それぞれの具体的なパラメータ及び動作方法を設定する過程を意味する。
【００２５】
ＲＲＣ状態は、端末機１０のＲＲＣ層とＵＴＲＡＮ２０のＲＲＣ層との間に論理的接続が存在するか否かを示す。前記論理的接続が存在するとは、端末機１０がＲＲＣ接続状態（Ｃｏｎｎｅｃｔｅｄ  ｓｔａｔｅ）にあることを意味し、前記論理的接続が存在しないとは、端末機１０がアイドル状態（Ｉｄｌｅ  ｓｔａｔｅ）状態にあることを意味する。
【００２６】
前記ＲＲＣ接続状態の端末機１０にＲＲＣ接続が存在するため、ＵＴＲＡＮ２０は、特定端末機１０の存在をセル単位で判断することができ、例えば、どちらのセルにＲＲＣ接続状態の端末機１０が存在するかを判断することができる。従って、端末機１０を効果的に制御することができる。
【００２７】
反面、ＵＴＲＡＮ２０は、アイドル状態の端末機１０を判断することができない。このアイドル状態の端末機１０は、セルより大きい地域単位（ｒｅｇｉｏｎ）であるロケーション（Ｌｏｃａｔｉｏｎ）又はルーティングエリア（Ｒｏｕｔｉｎｇ  Ａｒｅａ）単位でコアネットワーク３０によってのみ判断される。従って、アイドル状態の端末機１０は、大きい地域単位で存在するか否かが判断され、音声又はデータサービスのような通常の移動通信サービスを受けるためには、アイドル状態の端末機１０がＲＲＣ接続状態に移行又は転換しなければならない。
【００２８】
ユーザーが電源を最初にオンしたとき、端末機１０はまず適切なセルを探索した後、  該当セル内でアイドル状態で存在する。前記アイドル状態の端末機１０は、ＲＲＣ接続を確立する必要があるとき、ＲＲＣ接続過程を通じてＲＲＣ接続状態に移行してＵＴＲＡＮ２０のＲＲＣ層とのＲＲＣ接続を確立する。
【００２９】
アイドル状態の端末機１０がＲＲＣ接続の確立を必要とする状況は様々である。例えば、ユーザーが通話を試みてアップリンクデータ転送が必要であるとき、ＵＴＲＡＮ２０から受信されたページングメッセージに対して応答メッセージを送信するとき、または、マルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ：  ＭＢＭＳ）を受けるときなどに、ＲＲＣ接続を確立する必要がある。
【００３０】
前記ＭＢＭＳは、Ｒｅｌｅａｓｅ  ６の新しい種類のサービスであり、３ＧＰＰシステムにおいて提供される。３ＧＰＰ  ＴＳＧ  ＳＡ（Ｓｅｒｖｉｃｅ  ａｎｄ  ｓｙｓｔｅｍ  Ａｓｐｅｃｔ）は、ＭＢＭＳサービスを提供するために必要な多様なネットワーク要素とそれらの機能を定義する。従来のＲｅｌｅａｓｅ  ９９により提供されたセルブロードキャストサービスは、テキストタイプの短文メッセージを特定地域エリア（ａｒｅａ）のブロードキャストにサービスすることに制限されていた。前記Ｒｅｌｅａｓｅ  ６により提供されたＭＢＭＳサービスは、該当サービスに加入した端末機１０にマルチメディアデータをブロードキャスト及びマルチキャストするより向上したサービスである。
【００３１】
前記ＭＢＭＳサービスは、共通チャネル又は専用下りチャネルを使用して複数の端末機１０にストリーミング（ｓｔｒｅａｍｉｎｇ）又はバックグラウンド（ｂａｃｋｇｒｏｕｎｄ）サービスを提供する下向き−専用（ｄｏｗｎｗａｒｄ−ｄｅｄｉｃａｔｅｄ）サービスである。前記ＭＢＭＳサービスは、ブロードキャストモードとマルチキャストモードに区分される。
【００３２】
前記ＭＢＭＳブロードキャストモードはブロードキャストエリア（ｂｒｏａｄｃａｓｔ  ａｒｅａ）に位置する全てのユーザーにマルチメディアデータを転送するが、前記ＭＢＭＳマルチキャストモードはマルチキャストエリア（ｍｕｌｔｉｃａｓｔ  ａｒｅａ）に位置する特定ユーザーグループにのみマルチメディアデータを転送する。前記ブロードキャストエリアは、ブロードキャストサービスが可能なエリアであり、前記マルチキャストエリアは、マルチキャストサービスが可能なエリアである。
【００３３】
前記ＭＢＭＳサービスの提供を希望するユーザーは、最初にネットワークから提供されるサービス案内（ａｎｎｏｕｎｃｅｍｅｎｔ）を受ける。端末機１０に提供されるサービス項目及び関連情報が前記サービス案内から提供される。また、ユーザーは、ネットワークから提供されたサービス通知（ｎｏｔｉｆｉｃａｔｉｏｎ）を受ける。前記サービス通知は、転送される放送データに関連した情報を端末機１０に提供する。
【００３４】
前記マルチキャストモードのＭＢＭＳサービスを希望するユーザーは、マルチキャスト加入グループ（ｍｕｌｔｉｃａｓｔ  ｓｕｂｓｃｒｉｐｔｉｏｎ  ｇｒｏｕｐ）に加入しなければならない。マルチキャスト加入グループとは、加入手順を完了したユーザーのグループである。前記マルチキャスト加入グループに加入したユーザーは、特定マルチキャストサービスを受けるマルチキャストグループに加入することができる。マルチキャストグループとは、特定マルチキャストサービスを受けるユーザーのグループである。マルチキャストグループに加入することは、ＭＢＭＳマルチキャスト活性化（ＭＢＭＳ  ｍｕｌｔｉｃａｓｔ  ａｃｔｉｖａｔｉｏｎ）を意味し、特定マルチキャストサービスの提供を希望するユーザーのマルチキャストグループに参加することである。従って、ユーザーは、ＭＢＭＳマルチキャスト活性化というマルチキャストグループへの加入によって前記特定マルチキャストサービスを受けることになる。
【００３５】
ＲＮＣ２３は、ＵＴＲＡＮプロトコルのユーザプレーンを通じて基地局（Ｎｏｄｅ−Ｂ）２１を経て端末機１０にＭＢＭＳユーザーデータを転送する。ＵＴＲＡＮ２０は、端末機１０とコアネットワーク３０間の呼通信のために、ＭＢＭＳ無線アクセスベアラを構成して維持することによってＭＢＭＳユーザーデータを転送する。前記ＭＢＭＳ使用者データはダウンリンクのみによって転送される。ＭＢＭＳ無線ベアラは、コアネットワーク３０によってＵＴＲＡＮ２０に転送される特定ＭＢＭＳサービスの使用者データを特定端末機１０にのみ転送することを助ける。
【００３６】
前記ＭＢＭＳ無線ベアラの種類は、ポイントツーマルチポイント（ｐｏｉｎｔ−ｔｏ−ｍｕｌｔｉｐｏｉｎｔ）型とポイントツーポイント（ｐｏｉｎｔ−ｔｏ−ｐｏｉｎｔ）型に区分される。ＵＴＲＡＮ２０は、ＭＢＭＳサービスを提供するために前記ＭＢＭＳ無線ベアラの２種類のうち１つを選択する。２種類のＭＢＭＳ無線ベアラのうち１つを選択するために、ＵＴＲＡＮ２０は、１つのセルに存在する特定ＭＢＭＳサービスのユーザー又は端末機１０の数を把握しなければならない。
【００３７】
ＵＴＲＡＮ２０は、ＭＢＭＳ無線ベアラの種類を把握するために端末機１０の数をカウントする。ＵＴＲＡＮ２０は、ＭＢＭＳ共通制御チャネルでＭＢＭＳサービスに関する情報を提供するとき、又は、特定ＭＢＭＳサービスグループに対するページング（Ｐａｇｉｎｇ）を実行するときに端末機の数をカウントしているということを端末機１０に通知する。
【００３８】
端末機１０は、該当サービス上でカウントが行われていることを指示するＭＢＭＳサービスのサービス通知を受信すると、アップリンク共通チャネルでＵＴＲＡＮ２０にＲＲＣ接続要求メッセージを送信することにより、端末機のＲＲＣエンティティ（ｅｎｔｉｔｙ）とＵＴＲＡＮ２０のＲＲＣエンティティ間の接続を確立する。前記ＲＲＣ接続要求メッセージは、ＵＴＲＡＮ２０に端末機１０が該当ＭＢＭＳサービスの提供を希望するということを通知する。
【００３９】
ＵＴＲＡＮ２０は、ＲＲＣ接続要求メッセージを送信した端末機１０の数を計算することにより、１つのセルにおける特定ＭＢＭＳサービスの提供を希望するユーザーを把握することができる。また、ＵＴＲＡＮ２０は、前記計算結果に基づいてＭＢＭＳ無線ベアラを設定する。
【００４０】
ＵＴＲＡＮ２０は、該当セル内に存在するユーザー又は端末機１０の数が所定の臨界値より小さい場合はポイントツーポイント無線ベアラを設定し、臨界値より大きいか同一である場合はポイントツーマルチポイント無線ベアラを設定する。しかしながら、ＵＴＲＡＮ２０がＭＢＭＳサービスの提供を希望する端末機１０の数を把握する従来のページング方法は、次のような問題点を有する。
【００４１】
ＵＴＲＡＮ２０がＭＢＭＳサービス通知を実行すると、ＭＢＭＳサービスの提供を希望する端末機１０からＲＲＣ応答メッセージのような応答メッセージが送信される。前記応答メッセージはアップリンクチャネルに同時に集中し、その結果、アップリンクの干渉と負荷が増加する。その理由は、ＵＴＲＡＮ２０がＭＢＭＳ共通制御チャネルを利用して複数の端末機１０に前記ＭＢＭＳサービス通知を実行すると同時に、該当端末機がアップリンク共通チャネルでＵＴＲＡＮ２０にＭＢＭＳサービスの提供を希望するということを通知するためである。
【００４２】
前記干渉と負荷の増加によって、端末機１０が応答メッセージを送信するために長い時間がかかることになる。従って、いくつかの端末機は、ＵＴＲＡＮ２０のＭＢＭＳ無線ベアラ設定時間までに応答メッセージを送信し得ない可能性もある。
【００４３】
一旦、ＵＴＲＡＮ２０がＭＢＭＳポイントツーマルチポイント無線ベアラを設定する臨界値を超過する数の端末機１０から応答メッセージを受信すると、無線ベアラを選択するための全ての条件が備えられたことになるので、ＵＴＲＡＮ２０はこれ以上追加的な応答メッセージを必要としない。しかしながら、従来技術では、ＵＴＲＡＮ２０が臨界値を超過する数の応答メッセージを受信しても、ＭＢＭＳ無線ベアラが設定されるまで続けて応答メッセージを受信する。従って、アップリンク無線資源が予想外に浪費されるという問題点がある。
【００４４】
一般に、前記ＲＲＣ接続過程は、端末機１０がＵＴＲＡＮ２０にＲＲＣ接続要求  メッセージを送信する過程と、ＵＴＲＡＮ２０が端末機１０にＲＲＣ接続設定メッセージを送信する過程と、端末機１０がＵＴＲＡＮ２０にＲＲＣ接続設定完了メッセージを送信する過程との３つの段階に区分される。この３つの段階を図３に示す。
【００４５】
図３は、従来技術によるＵＴＲＡＮが端末機のＲＲＣ接続要求を承認する過程を示す。
【００４６】
アイドル状態の端末機１０は、ＲＲＣ接続の確立を希望する場合、まず、ＲＲＣ接続要求メッセージをＵＴＲＡＮ２０に送信する。前記ＲＲＣ接続要求メッセージは、初期端末機識別子（ｉｎｉｔｉａｌ  ｔｅｒｍｉｎａｌ  ｉｄｅｎｔｉｆｉｅｒ）（又は、初期携帯端末機識別子（ｉｎｉｔｉａｌ  ＵＥ  ｉｄｅｎｔｉｔｙ））とＲＲＣ確立原因（Ｅｓｔａｂｌｉｓｈｍｅｎｔ  ｃａｕｓｅ）を含む。前記初期端末機識別子は、端末機１０の固有の識別子であり、全世界のどの地域でも該当端末機の識別を可能にする。
【００４７】
ＵＴＲＡＮ２０は、前記ＲＲＣ接続要求に対する応答として端末機１０にＲＲＣ接続設定メッセージを送信する。前記ＲＲＣ接続設定メッセージは、初期端末機識別子と共に転送される無線ネットワーク臨時識別子（Ｒａｄｉｏ  Ｎｅｔｗｏｒｋ  Ｔｅｍｐｏｒａｒｙ  Ｉｄｅｎｔｉｔｙ：  ＲＮＴＩ）と無線ベアラ設定情報を含む。前記ＲＮＴＩは、ＵＴＲＡＮ２０が接続状態の端末機１０を識別することを可能にするために割り当てられる端末機識別子である。前記ＲＮＴＩは、ＲＲＣ接続が存在する場合のみに使用され、さらに、ＵＴＲＡＮ２０内でのみ使用される。
【００４８】
前記ＲＲＣ接続設定メッセージに対する応答として、端末機１０はＵＴＲＡＮ２０とＲＲＣ接続を確立し、ＵＴＲＡＮ２０にＲＲＣ接続設定完了メッセージを送信する。前記ＲＲＣ接続が確立された後、端末機１０は、ＵＴＲＡＮ２０と通信するときに初期携帯端末機識別子の代わりに前記ＲＮＴＩを使用する。
【００４９】
端末機固有の識別子である初期携帯端末機識別子を頻繁に使用すると、流出の恐れが発生するため、保安の理由から、初期携帯端末機識別子はＲＲＣ接続過程でのみ使用し、それ以後は前記ＲＮＴＩを使用する。
【００５０】
しかしながら、ＵＴＲＡＮ２０は、無線資源の不十分などの理由によってＲＲＣ接続要求を拒否することがある。図４は、従来技術によるＵＴＲＡＮが端末機のＲＲＣ接続要求を拒否する過程を示す。
【００５１】
端末機１０からＲＲＣ接続要求メッセージを受信したＵＴＲＡＮ２０は、ＲＲＣ接続を拒否する必要がある場合、ＲＲＣ接続拒否（ＲＲＣ  ｃｏｎｎｅｃｔｉｏｎ  ｒｅｊｅｃｔ）メッセージを送信する。ここで、ＲＲＣ接続拒否の理由を端末機１０に通知するために、ＲＲＣ接続拒否メッセージに初期携帯端末機識別子と拒否原因を含める。ＲＲＣ接続拒否メッセージを受信した端末機１０はアイドル状態に戻る。
【００５２】
図５は、従来技術による端末機のＲＲＣ接続要求方法を示す。従来技術によるＲＲＣ接続要求方法１００は、ＲＲＣ接続要求メッセージを送信する過程（Ｓ１１０）と、タイマーを駆動する過程（Ｓ１２０）と、タイマーが満了する（Ｓ１５０）前にＲＲＣ接続設定メッセージが受信されたか否かを判断する過程（Ｓ１３０）と、判断結果に基づいてＲＲＣ接続設定メッセージが受信されなかった場合、ＲＲＣ接続拒否メッセージが受信されたか否かを判断する過程（Ｓ１４４）と、ＲＲＣ接続設定メッセージやＲＲＣ接続拒否メッセージが受信されなかった場合、又は、ＲＲＣ接続要求メッセージの送信回数が臨界値に達していない場合は、前記過程を繰り返す過程（Ｓ１６０）とを含む。
【００５３】
端末機１０からＲＲＣ接続要求メッセージを受信したＵＴＲＡＮ２０は、無線資源が十分な場合に前記ＲＲＣ接続要求を承認して端末機１０にＲＲＣ接続設定メッセージを送信する。無線資源が十分でない場合、ＵＴＲＡＮ２０は、ＲＲＣ接続要求を拒否して端末機１０にＲＲＣ接続拒否メッセージを送信する。
【００５４】
Ｓ１３０段階で、ＲＲＣ接続設定メッセージが受信されたと判断された場合、前記メッセージが該当端末機１０に送信されるメッセージであるか否かを判断するために、ＲＲＣ接続設定メッセージに含まれた初期携帯端末機識別子を端末機１０自体の識別子と比較する。前記ＲＲＣ接続設定メッセージに含まれた初期携帯端末機識別子が端末機１０自体の識別子と異なると、端末機１０は、受信されたメッセージを廃棄してＲＲＣ接続拒否メッセージが受信されたか否かを判断する過程（Ｓ１４４）を実行する。前記ＲＲＣ接続設定メッセージに含まれた初期携帯端末機識別子が端末機１０自体の識別子と同一であると、端末機１０はＵＴＲＡＮ２０とＲＲＣ接続を確立し、ＲＲＣ接続状態に移行する。
【００５５】
ＵＴＲＡＮ２０とＲＲＣ接続を確立した端末機１０は、ＵＴＲＡＮ２０によって割り当てられたＲＮＴＩを保存し、ＵＴＲＡＮ２０にＲＲＣ接続設定完了メッセージを送信する（Ｓ１４２）。ここで、ＲＲＣ接続設定完了メッセージには端末機１０の性能情報などが含まれる。Ｓ１７０段階で、ＲＲＣ接続要求メッセージの追加送信は終了する。
【００５６】
Ｓ１４４段階で、ＲＲＣ接続拒否メッセージが受信されたと判断された場合、前記メッセージが該当端末機１０に送信されるメッセージであるか否かを判断するために、ＲＲＣ接続拒否メッセージに含まれた初期携帯端末機識別子を端末機１０自体の識別子と比較する。前記ＲＲＣ接続拒否メッセージに含まれた初期携帯端末機識別子が端末機１０自体の識別子と異なると、端末機１０は、受信されたメッセージを廃棄してタイマーの動作が満了した否かをチェックする（Ｓ１５０）。前記ＲＲＣ接続拒否メッセージに含まれた初期携帯端末機識別子が端末機１０自体の識別子と同一であると、端末機１０はアイドル状態に移行し（Ｓ１４６）、これ以上ＲＲＣ接続を試みない（Ｓ１７０）。
【００５７】
Ｓ１５０段階で、タイマーが満了していない場合、端末機１０は、ＲＲＣ接続設定メッセージ又はＲＲＣ接続拒否メッセージの受信を待ち続ける。また、タイマーが満了した場合は、ＲＲＣ接続要求メッセージを送信した回数が臨界値に達しているか否かを判断する過程（Ｓ１６０）を実行する。
【００５８】
前記ＲＲＣ接続要求メッセージを送信した回数が臨界値に達している場合、端末機１０は前記ＲＲＣ接続の試みを終了する（Ｓ１７０）。前記ＲＲＣ接続要求メッセージを送信した回数が臨界値に達していない場合は、前記ＲＲＣ接続要求メッセージを送信する過程（Ｓ１１０）で他のＲＲＣ接続の試みが開始し、Ｓ１１０〜Ｓ１７０段階が繰り返される。
【００５９】
前述したような従来技術で、ＲＲＣ接続を要求した複数の端末機１０にＵＴＲＡＮ２０がＲＲＣ接続拒否メッセージを送信するとき、ＲＲＣ接続拒否メッセージの送信に長い時間がかかるため、無線資源が浪費されるという問題点がある。このような問題点が発生する代表的な例として、マルチキャストサービスを提供する場合がある。
【００６０】
ＵＴＲＡＮ２０は、マルチキャストサービス通知（Ｎｏｔｉｆｉｃａｔｉｏｎ）過程を利用して、特定セル内で特定マルチキャストサービスの提供を希望する端末機１０の数を把握するカウント（Ｃｏｕｎｔｉｎｇ）動作を実行する。前記カウント動作は、特定マルチキャストサービスを提供する無線ベアラをポイントツーマルチポイントに設定するか、あるいはポイントツーポイントに設定するかを決定するために使用される。ＵＴＲＡＮ２０は、該当セルに存在する端末機の数が臨界値より少ない場合はポイントツーポイント無線ベアラが設定され、該当セルに存在する端末機の数が臨界値以上の場合はポイントツーマルチポイント無線ベアラが設定される。
【００６１】
特定サービスに対してポイントツーポイント無線ベアラが設定されると、そのサービスの提供を希望する端末機１０は全てＲＲＣ接続状態になる。しかしながら、特定サービスに対してポイントツーマルチポイント無線ベアラが設定されると、ＲＲＣアイドル状態の端末機も前記ポイントツーマルチポイント無線ベアラでマルチキャストサービスを受けることができるため、そのサービスの提供を希望する端末機が全てＲＲＣ接続状態にある必要はない。
【００６２】
マルチキャストサービスにおいて前記カウント動作を利用した無線ベアラ形式の選択は、無線資源を効率的に割り当てるために必須である。従って、前記カウント動作は、マルチキャストサービスの開始前に実行されるか、又は、マルチキャストサービス中に周期的に実行される。
【００６３】
ＵＴＲＡＮ２０が端末機１０の数をカウントするために、アイドル状態にある端末機１０はサービス通知を受けると直ちにＵＴＲＡＮ２０にＲＲＣ接続要求メッセージを送信する。ＵＴＲＡＮ２０は、サービス通知後にＲＲＣ接続要求メッセージを受信すると、無線ベアラ形式を決定するためにセル内の特定マルチキャストサービの提供を希望する端末機の数をカウントする。無線資源状態に基づいて、所定数の端末にはＲＲＣ接続設定メッセージを送信し、その他の端末にはＲＲＣ接続拒否メッセージを送信することによりＲＲＣアイドル状態で該当サービスを受信することが可能になる。
【００６４】
マルチキャストサービスは多数の端末機１０を対象とするサービスであるため、ＵＴＲＡＮ２０は、サービス通知の後、多数の端末機からほぼ同時にＲＲＣ接続要求メッセージを受信する。ＵＴＲＡＮ２０は、これらＲＲＣ接続要求に対して大部分のＲＲＣ接続を拒否する。１つのＲＲＣ接続拒否メッセージは１つの端末機にのみ接続拒否を通知するので、多数の端末機にＲＲＣ接続拒否メッセージを送信するマルチキャストサービスの場合は、全ての該当端末機にＲＲＣ接続拒否メッセージを送信する必要がある。従って、前記ＲＲＣ接続拒否メッセージの送信には長い時間がかかり、多くの無線資源を浪費するという問題が発生する。
【００６５】
また、ＲＲＣ接続要求メッセージを送信した端末機１０は、所定時間内にＲＲＣ接続設定メッセージ又はＲＲＣ接続拒否メッセージが受信されないと、もう一度ＲＲＣ接続要求メッセージを送信する。従って、ＵＴＲＡＮ２０がそれぞれの再送信メッセージを受信しなければならないので、ＲＲＣ接続要求メッセージの再送信にはより多くの無線資源が浪費される。
【００６６】
従って、無線資源の保存のために、ＲＲＣ接続拒否メッセージを一々送信せずに複数の端末機にＲＲＣ接続要求の拒否事実とＲＲＣ接続要求の再送信の不要を通知する方法及び装置が必要である。
【発明の開示】
【発明が解決しようとする課題】
【００６７】
本発明の目的は、複数の端末機に接続要求の再送信が不必要であることを通知するために、ネットワークで利用されるカウント状態を含むシングル接続メッセージを使用して、ＵＭＴＳにおけるアイドル状態の端末機とＵＴＲＡＮとの間に確立される初期接続であるＲＲＣ接続を確立する方法及び装置を提供することにある。
【００６８】
本発明の付加的な長所と特徴は以下の説明に記載され、一部は当業者が以下の内容を検討するか、又は発明を実施することにより明確になる。本発明の他の長所と目的は以下に記載の説明、請求項、添付図面によって特別に指摘された構成によって実現及び達成される。
【課題を解決するための手段】
【００６９】
このような目的を達成するために、本発明は、無線資源を保存する方法としてＵＭＴＳにおけるＵＴＲＡＮと端末機との間のＲＲＣ接続を提供する移動通信システム及び装置において具体化される。特に、本発明は、ＵＴＲＡＮが複数の端末機に１つのメッセージを送信することにより、複数の端末機にそれらのＲＲＣ接続要求が拒否されたので接続要求の再送信が必要ないということを通知する方法及び装置を提供する。ここでは、本発明は、３ＧＰＰによって開発されたＵＭＴＳと関連して説明されたが、本発明による方法及び装置が、移動通信システムにおいて複数の端末機にそれらの以前の接続要求が拒否されたので接続要求の再送信が必要ないということを通知するものであれば、どこにでも適用できるということは十分予想することができる。
【００７０】
本発明の一観点から、端末機とネットワークとの無線通信方法は、端末機とネットワークとの接続が必要であると指示する第１接続メッセージを第１チャネルで受信する過程と、ネットワークに接続要求を送信する過程と、第２チャネルでネットワークから送信される接続応答を受信するために所定時間待機する過程と、所定時間内に応答メッセージを受信していない場合、第１チャネルで第２接続メッセージを受信する過程と、前記第２接続メッセージに基づいて接続要求を再送信するか否かを決定する過程とを含む。
【００７１】
前記第２接続メッセージは接続必要インジケータ又は接続不必要インジケータのいずれか１つを含む。好ましくは、前記第２接続メッセージはＲＲＣ接続必要メッセージ  又はＲＲＣ接続不必要メッセージである。
【００７２】
前記第２接続メッセージが接続必要インジケータを含む場合は前記接続要求メッセージが再送信され、前記第２接続メッセージが接続不必要インジケータを含む場合は接続要求メッセージが再送信されない。
【００７３】
好ましくは、前記第１接続メッセージはＲＲＣ接続必要メッセージであり、前記接続要求はＲＲＣ接続要求メッセージであり、応答メッセージはＲＲＣ接続設定メッセージである。好ましくは、前記第１接続メッセージ、応答メッセージ、第２接続メッセージは、ＭＢＭＳサービスのようなユーザーサービスと関連する。
【００７４】
本発明の他の観点から、端末機とネットワークとの無線通信方法は、端末機とネットワークとの連結が必要であると指示する第１接続メッセージを第１チャネルで受信する過程と、ネットワークに接続要求メッセージを送信することによりユーザーサービスに関連したネットワーク接続過程を開始する過程と、ネットワークから第２チャネルで受信される接続応答の受信を待機し、内部イベントと外部イベントが発生すると、前記ネットワーク接続過程を終了する過程とを含む。
【００７５】
好ましくは、前記内部イベントは、予め設定された時間周期を有する内部タイマーが満了することであり、前記外部イベントは、ＲＲＣ接続不必要メッセージのような接続不必要インジケータを含む第２接続メッセージを第１チャネルで受信することである。前記ネットワーク接続過程が終了すると、前記接続要求メッセージは再送信されない。
【００７６】
好ましい一実施形態によると、前記方法は、前記内部タイマーの満了時と他の外部イベントの発生時に前記接続要求メッセージを再送信する過程をさらに含む。好ましくは、前記他の外部イベントは、ＲＲＣ接続必要メッセージのような接続必要メッセージを含む第２接続メッセージを第１チャネルで受信することである。
【００７７】
好ましくは、前記第１接続メッセージはＲＲＣ接続必要メッセージであり、前記接続要求はＲＲＣ接続要求メッセージであり、前記応答メッセージはＲＲＣ接続設定メッセージである。好ましくは、前記ユーザーサービスはＭＢＭＳサービスである。
【００７８】
前記第１チャネルと第２チャネルは、論理チャネル、転送チャネル、又は物理チャネルである。好ましくは、前記第１チャネルはＭＢＭＳ制御チャネルであり、前記第２チャネルは共通制御チャネルである。
【００７９】
本発明の他の観点から、ネットワークと複数の端末機との無線通信方法は、サービスに加入した複数の端末機にネットワークとの接続が必要であると指示する第１接続メッセージを第１チャネルで送信する過程と、前記複数の端末機のうち少なくとも１つの端末機から接続要求メッセージを受信する過程と、特定端末機に接続設定指示を含む第２接続メッセージを第２チャネルで送信する過程と、第１チャネルで前記複数の端末機に接続必要情報や接続不必要情報のうち１つを含む第３接続メッセージを送信する過程とを含む。
【００８０】
前記第３接続メッセージは、受信された接続要求メッセージの数に基づいて接続必要情報又は接続不必要情報を含む。好ましい一実施形態によると、前記第３接続メッセージは、受信された接続要求メッセージの数が予め設定された臨界値未満の場合に接続必要情報を含み、受信された接続要求メッセージの数が予め設定された臨界値以上の場合に接続不必要情報を含む。
【００８１】
接続設定指示を含む複数の第２接続メッセージは第２チャネルで送信される。それぞれの第２接続メッセージは、特定端末機に関連した端末機識別子のような接続設定情報を含み、前記特定端末機に送信される。
【００８２】
好ましくは、前記第１接続メッセージはＲＲＣ接続必要メッセージであり、前記接続要求はＲＲＣ接続要求メッセージであり、前記第２接続メッセージはＲＲＣ接続設定メッセージである。好ましくは、前記ユーザーサービスはポイントツーマルチポイントサービスである。好ましくは、前記第３接続メッセージは、ＲＲＣ接続必要メッセージ又はＲＲＣ接続不必要メッセージのうち１つであり、前記サービスのためのサービス識別子を含む。
【００８３】
本発明の他の観点から、ネットワークとの無線通信のための端末機は、送信器、ディスプレイ部、メモリ部、受信器、処理部を含む。
【００８４】
前記送信器は、応答メッセージを要求するためにネットワークに接続要求メッセージを送信することにより、ユーザーサービスに関連したネットワーク接続過程を開始する。前記ディスプレイ部はユーザーに情報を伝達する。前記メモリ部はネットワーク接続とユーザーサービスに関連した情報を保存する。前記受信器は、ネットワークから、第１チャネルで接続必要インジケータを含む第１接続メッセージと接続必要インジケータ又は接続不必要インジケータのいずれか１つを含む第２接続メッセージとを受信し、第２チャネルで接続応答メッセージを受信する。前記処理部は、前記接続要求メッセージが送信された後、所定時間内に前記接続応答メッセージが受信されたか否かを判断し、前記接続要求メッセージを再送信するか、又は、前記ネットワーク接続過程を終了するために、前記第２接続メッセージの内容を推定する本発明による方法を実行する。
【００８５】
本発明の他の観点から、複数の端末機との無線通信のためのネットワークは、送信器、受信器、保存部、制御装置を含む。
【００８６】
前記送信器は、第１チャネルでサービスに加入した複数の端末機にサービスに関連したネットワーク接続が必要であると指示する第１接続メッセージを送信し、第２チャネルで少なくとも１つの特定端末機に接続設定情報を含む第２接続メッセージを送信し、前記第１チャネルで前記複数の端末機に接続必要情報又は接続不必要情報の１つを含む第３接続メッセージを送信する。前記受信器は、少なくとも１つの端末機から接続要求メッセージを受信する。前記貯蔵部は、前記ネットワーク接続とユーザーサービスに関連した情報を貯蔵する。前記制御装置は、複数の端末機のうちどの端末機が通信接続を設定するかを判断し、通信接続を受信すると判断された端末機に第２接続メッセージを送信し、受信された接続要求メッセージの数に基づいて前記第３接続メッセージが接続必要情報を含むべきか、あるいは、接続不必要情報を含むべきかを判断する本発明による方法を実行する。
【００８７】
本発明の他の長所、目的、特徴は、以下の詳細な説明に記載され、当業者が以下の内容を検討するか、又は本発明を実施することにより、その内容が明白になる。本発明の目的と長所は、特許求求の範囲に明示した通りに実現及び達成される。
【００８８】
本発明に対する前記一般的な説明と以下の詳細な説明は、単に実施形態を提示して説明をするためのものであり、求求された発明に対する追加的な説明のために記載されたものであることが明白である。
【発明の効果】
【００８９】
従来技術では、ＵＴＲＡＮが複数の端末機のＲＲＣ接続要求を拒否する場合、ＲＲＣ接続を要求したそれぞれの端末機に拒否メッセージを送信しなければならないのでメッセージの送信に長い時間が所要し、多くのダウンリンク無線資源が浪費された。また、許可時間内にＵＴＲＡＮからいずれの応答も受信しなかった端末機のＲＲＣ接続要求メッセージの再送信によりアップリンク無線資源が浪費されるという問題点が発生していた。
【００９０】
これに対して、本発明は、複数の端末機にＲＲＣ接続不必要メッセージのような１つのカウント終了命令を送信することにより前記複数の端末機のＲＲＣ接続を拒否することができるため、無線資源の浪費が最小になり、さらに、前記ＲＲＣ接続を要求した端末機に迅速に応答することができるという効果がある。特に、本発明は、多くの端末機にマルチキャストサービスを提供する場合に効果がある。
【発明を実施するための最良の形態】
【００９１】
本発明は、ネットワークで利用されるカウント状況を含む１つの接続メッセージによって接続要求メッセージの再送信が必要ないことを複数の端末機に通知するために、ＵＭＴＳにおけるアイドル状態の端末機とＵＴＲＡＮとの間の初期接続であるＲＲＣ接続を提供する方法及び装置に関する。本発明は、３ＧＰＰによって開発されたＵＭＴＳのような移動通信システム、特に、マルチメディアブロードキャストマルチキャストサービス（ＭＢＭＳ）ユーザーサービスに関連したＲＲＣ接続に関するものであるが、無線資源を保存するためにそれぞれの端末機に一々接続拒否メッセージを送信せずに複数の端末機にそれらの接続要求の拒否事実を通知する場合であれば、前記ＵＭＴＳと類似する通信システム、又は異なる標準に従って構成される通信システムにも適用できる。
【００９２】
本発明は、１つのセル内で特定ＭＢＭＳサービスの提供を希望する全ての端末機４１０にＵＴＲＡＮ５２０がカウント状況情報メッセージをブロードキャストすることにより、端末機４１０のＲＲＣ接続要求の試みを終了させるための装置及び方法を提供する。接続要求が拒否された各端末機４１０には、ＲＲＣ接続拒否メッセージの代わりに前記カウント状況メッセージが専用ＭＢＭＳ共通チャネルで送信される。前記カウント状況情報メッセージが特定ＭＢＭＳサービスの提供を希望する全ての端末機４１０に放送されるため、前記カウント状況情報メッセージ内にはカウントの完了したか否かを通知する情報のみが必要である。前記カウント状況情報メッセージには、初期端末機識別子のような特定端末機を識別するためのいずれの情報も含まれる必要がない。
【００９３】
また、本発明は、端末機４１０が、ＲＲＣ接続要求メッセージを送信した後、所定時間内にＲＲＣ接続設定メッセージを受信しなかった場合、カウント状況情報メッセージを受信すると、ＲＲＣ接続要求を再送信する方法を提供する。端末機４１０は、前記カウント状況情報メッセージの内容に基づいてＲＲＣ接続要求メッセージを再送信するどうかを決定する。
【００９４】
ＵＴＲＡＮ５２０は、第１チャネルでＲＲＣ接続設定メッセージを送信し、特定ＭＢＭＳサービスの提供を希望する端末機４１０専用の第２ＭＢＭＳ共通チャネルでカウント状況情報メッセージを送信する。前記カウント状況情報メッセージは、特定ＭＢＭＳサービスのためのカウントが完了したことを通知するカウント終了命令又は特定ＭＢＭＳサービスのためのカウント過程中にあることを通知するカウント実行命令を含む。
【００９５】
端末機４１０は、ＲＲＣ接続要求メッセージを送信した後にタイマーを駆動し、前記第１チャネルで送信されるＲＲＣ接続設定メッセージの受信を試みる。前記タイマーが満了するまでにＲＲＣ接続メッセージが受信されなかった場合、端末機４１０は、ＭＢＭＳサービスのためのカウント状況情報メッセージを受信するために第２チャネルに切り替える。
【００９６】
前記カウント状況情報メッセージがカウント終了命令を含む場合、端末機４１０は、ＭＢＭＳサービスのためのカウント過程が終了したと判断して前記ＲＲＣ接続要求メッセージを再送信しない。前記カウント状況情報メッセージがカウント遂行命令を含む場合、端末機４１０は、ＭＢＭＳサービスのためのカウント過程が続いていると判断して前記ＲＲＣ接続要求メッセージを再送信する。
【００９７】
図６は、本発明によってＵＴＲＡＮ５２０が特定セル内で特定ＭＢＭＳサービスの受信を希望するある端末機（第２携帯端末機）４１０のＲＲＣ接続要求は承認し、特定セル内で特定ＭＢＭＳサービスの受信を希望する他の端末機（第１携帯端末機）４１０のＲＲＣ接続要求は拒否する過程を示す。第１携帯端末機と第２携帯端末機のようにＲＲＣ接続の設定を希望するアイドル状態の端末機４１０は、ＵＴＲＡＮ５２０から第１チャネルでＲＲＣ接続必要メッセージを受信すると、ＵＴＲＡＮ５１０にＲＲＣ接続要求メッセージをそれぞれ送信する。
【００９８】
前記ＲＲＣ接続必要メッセージは、特定ＭＢＭＳサービスに関連したサービスＩＤを含む。各ＲＲＣ接続要求メッセージは、ＲＲＣ確立原因及び初期端末機識別子を含む。前記初期端末機識別子又は初期携帯端末機識別子は、特定端末機４１０の唯一の識別子であり、世界中のどこでも特定端末機の位置に関係なく識別を可能にする。好ましくは、前記ＲＲＣ接続必要メッセージはＭＢＭＳ制御チャネル（ＭＣＣＨ）で送信され、前記ＲＲＣ接続要求メッセージは共通制御チャネル（ＣＣＣＨ）で送信される。
【００９９】
第１携帯端末機と第２携帯端末機は、それぞれＲＲＣ接続要求メッセージを送信すると直ちに、それぞれタイマーを駆動し、ＣＣＣＨのような第２チャネルでＲＲＣ接続設定メッセージの受信を待機する。図６に示すように、ＵＴＲＡＮ５２０は、第１携帯端末機はネットワーク接続を確立する必要がないが、第２携帯端末機はネットワーク接続を確立しなければならないと判断する。ＵＴＲＡＮ５２０は、第２チャネルで第２携帯端末機にＲＲＣ接続設定メッセージを送信するが、第１携帯端末機にはＲＲＣ接続設定メッセージを送信しない。
【０１００】
第２携帯端末機に送信された前記ＲＲＣ接続設定メッセージは、初期携帯端末機識別子と一緒に送信された無線ベアラ設定情報と無線ネットワーク臨時識別子（ＲＮＴＩ）を含む。前記ＲＮＴＩは、ＵＴＲＡＮ５２０による端末機４１０の接続状態の識別を可能にする端末機識別子である。前記ＲＮＴＩは、ＲＲＣ接続が存在する場合にのみ使用され、ＵＴＲＡＮ５２０内でのみ使用される。
【０１０１】
前記ＲＲＣ接続設定メッセージに対する応答として、第２携帯端末機は、ＵＴＲＡＮ５２０とＲＲＣ接続を確立し、ＵＴＲＡＮ５２０にＲＲＣ接続設定完了メッセージを送信する。前記ＲＲＣ接続を確立した後、第２携帯端末機はＲＲＣ接続状態になり、ＵＴＲＡＮ５２０と通信する場合は前記初期携帯端末機識別子の代りに前記ＲＮＴＩを使用する。
【０１０２】
一方、第１携帯端末機は、内部タイマーが満了すると、第１チャネルに切り替えてＲＲＣ接続不必要メッセージを受信する。前記ＲＲＣ接続不必要メッセージの受信は、特定ＭＢＭＳサービスに対するカウント動作が完了したことを示し、第１携帯端末機からのＲＲＣ接続要求メッセージが拒否されたことを意味する。その後、第１携帯端末機は、ＲＲＣ接続過程を終了して前記ＲＲＣ接続要求メッセージを再送信しない。
【０１０３】
図６は、２つの端末機４１０のみに対する過程を示すが、前記過程は、ＵＴＲＡＮ５２０がいくつかの端末機はＲＲＣ接続を確立する必要があり、その他の端末機はＲＲＣ接続を確立する必要がないと判断した場合であれば、特定ＭＢＭＳサービスの提供を希望する端末機の数に関係なく適用できる。ＲＲＣ接続を確立する必要があると判断された端末機４１０は、第２チャネルでＲＲＣ接続設定メッセージを受信してＲＲＣ接続状態になる。ＲＲＣ接続を確立する必要がないと判断された端末機４１０は、第１チャネルでＲＲＣ接続不必要メッセージを受信してアイドル状態に戻る。また、ＲＲＣ接続メッセージを受信する前に端末機４１０の内部タイマーが満了し、カウント動作は続いている場合、端末機４１０が第１チャネルでＲＲＣ接続必要メッセージを受信して、ＲＲＣ接続要求メッセージを再送信するということは自明である。
【０１０４】
図７は、本発明の一実施形態によって端末機４１０が、ＲＲＣ接続過程を開始し、ＲＲＣ接続設定メッセージの受信を待機し、予め設定された時間が経過してもＲＲＣ接続メッセージが受信されないと、ＲＲＣ接続設定メッセージを再送信するか、又は、ＲＲＣ接続過程を終了するかを決定するための方法２００を示す。前記方法２００は、第１チャネルでＲＲＣ接続必要メッセージを受信する過程（Ｓ２０２）と、ＲＲＣ接続要求メッセージを送信することによりネットワーク接続過程を開始する過程（Ｓ２１０）と、第２チャネルを読み込む過程（Ｓ２２５）と、ＲＲＣ接続設定メッセージが受信されると（Ｓ２３０）ＲＲＣ接続を確立（Ｓ２４２）するか、又は、ＲＲＣ接続設定メッセージが受信されるまでに内部タイマーが満了（Ｓ２４４）するとアイドル状態に戻って（Ｓ２６７）ネットワーク接続過程を終了するか（Ｓ２７０）、又はＲＲＣ接続要求メッセージを再送信するか（Ｓ２１０）を判断（Ｓ２６０）するためにＲＲＣ接続必要メッセージ又はＲＲＣ接続不必要メッセージを第１チャネルで受信（Ｓ２５０）する過程とを含む。
【０１０５】
Ｓ２０２段階で、ＵＴＲＡＮ５２０から第１チャネルで端末機４１０が加入したユーザーサービスに関連したＲＲＣ接続メッセージが受信される。Ｓ２１０段階で、端末機４１０はＲＲＣ接続要求メッセージをＵＴＲＡＮ５２０に送信する。前記ＲＲＣ接続要求メッセージは第２チャネルで送信されるＲＲＣ接続設定メッセージを要求する。
【０１０６】
Ｓ２２５段階で、端末機４１０は内部タイマーを初期化し、ＵＴＲＡＮ５２０からＲＲＣ接続設定メッセージが送信される第２チャネルを監視する。Ｓ２３０段階で、端末機４１０はＲＲＣ接続メッセージが受信されたか否かを確認する。
【０１０７】
ＲＲＣ接続設定メッセージが受信された場合、Ｓ２４２段階で、ネットワークへの接続が確立され、ＲＲＣ接続設定完了メッセージがネットワークに送信される。Ｓ２７０段階で、ＲＲＣ接続要求メッセージの追加送信は中止される。
【０１０８】
ＲＲＣ接続設定メッセージが受信されなかった場合、Ｓ２４４段階で、内部タイマーが満了しているかどうかを判断する。タイマーが満了していないと、Ｓ２３０段階で、端末機４１０は続けてＲＲＣ接続設定メッセージの受信を確認する。前記タイマーが満了ていると、端末機４１０は、Ｓ２５０段階で、第１チャネルを監視する。
【０１０９】
端末機４１０は、Ｓ２５０段階で、ＲＲＣ接続必要メッセージ又はＲＲＣ接続不必要メッセージの１つを受信する。ＲＲＣ接続必要メッセージが受信された場合、前記カウント動作は続けて進められ、端末機４１０は、Ｓ２１０段階で、ＲＲＣ接続要求メッセージを再送信する。逆に、ＲＲＣ接続不必要メッセージが受信された場合は、前記カウント動作が終了され、前記端末機のＲＲＣ接続要求は拒否される。Ｓ２６７段階で、端末機４１０はアイドル状態になり、Ｓ２７０段階で、ＲＲＣ接続要求メッセージの追加再送信が中断すると共に、前記ネットワーク接続過程は終了する。
【０１１０】
図８は、本発明の一実施形態によってネットワークにおけるＲＲＣ接続要求メッセージを処理し、ＲＲＣ接続必要メッセージ又はＲＲＣ接続不必要メッセージの１つとＲＲＣ接続設定メッセージを送信する方法３００を示す。前記方法３００は、ＲＲＣ接続要求メッセージを受信する過程（Ｓ３１０）と、処理するＲＲＣ接続要求メッセージが臨界値に達しているか否かを判断する過程（Ｓ３２０）とを含む。ＲＲＣ接続要求メッセージが臨界値に達していない場合、ＲＲＣ接続要求メッセージを送信した端末機にＲＲＣ接続設定メッセージが送信され（Ｓ３３０）、ＲＲＣ接続必要メッセージが送信される（Ｓ３４０）。ＲＲＣ接続要求メッセージがＲＲＣ接続要求臨界値に至っている場合は、ＲＲＣ接続不必要メッセージが送信される（Ｓ３５０）。
【０１１１】
本発明は、図７及び８に示した実施形態に基づいて説明されたが、これは例示に過ぎず、当該技術分野の通常の知識を持つ者であればこれにより多様な変形及び均等な他の実施形態が可能であるという点を理解するべきである。また、図７及び８に示した方法は、ＵＴＲＡＮ５２０及び各端末機４１０において適切なソフトウェアやハードウェアにより実行される。
【０１１２】
図９は、本発明の好ましい一実施形態による端末機のブロック図である。端末機４１０は、処理器又はデジタル信号処理器４１２と、ＲＦモジュール４３５と、電力管理モジュール４０５と、アンテナ４４０と、バッテリー４５５と、ディスプレイ４１５と、キーパッド４２０と、メモリ４３０と、加入者識別モジュール（Ｓｕｂｓｃｒｉｂｅｒ  Ｉｄｅｎｔｉｔｙ  Ｍｏｄｕｌｅ：  ＳＩＭ）カード（オプション）４２５と、スピーカー４４５と、マイク４５０とから構成される。
【０１１３】
ユーザーは、例えば、キーパッド４２０を押すか又はマイク４５０を利用した音声認識により電話番号のような指示情報を入力する。処理器４１２は、前記指示情報を受信及び処理することにより、電話をかけるなどの適切な機能を実行する。前記機能を実行するためにＳＩＭカード４２５又はメモリ４３０から動作データを検索する。また、ユーザーの参照及び便宜のために処理器４１２は、前記指示情報及び動作情報をディスプレイ４１５に表示する。また、処理器４１２は、図７に示した方法２００の実行に適用される。
【０１１４】
処理器４１２は、例えば、音声通信信号を含む無線信号の送信、又は、以上説明したＲＲＣ接続要求メッセージの送信のように、通信を開始するための指示情報をＲＦモジュール４３５に提供する。ＲＦモジュール４３５は、無線信号を送受信するための受信器と送信器を含む。アンテナ４４０は、無線信号の送信及び受信を助ける。前述したように、ネットワークからＲＲＣ接続設定メッセージ、ＲＲＣ接続必要メッセージ又はＲＲＣ接続不必要メッセージのような無線信号を受信すると、ＲＦモジュール４３５は、処理器４１２における処理のために信号をベースバンド周波数に変換して送信する。例えば、前記無線信号が着信呼である場合、前記処理された信号はスピーカー４４５を通じて聞こえる又は読める信号に変換される。
【０１１５】
図１０は、本発明の好ましい一実施形態によるＵＴＲＡＮのブロック図である。ＵＴＲＡＮ５２０は、１つ以上の無線ネットワークサブシステム（ＲＮＳ）５２５を含む。各ＲＮＳ５２５は、１つの無線ネットワーク制御装置（ＲＮＣ）５２３とＲＮＣ５２３により管理される複数のＮｏｄｅ−Ｂ（Ｂａｓｅ  ｓｔａｔｉｏｎ）５２１を含む。ＲＮＣ５２３は、無線資源の割り当て及び管理を担当し、コアネットワーク３０に対するアクセスポイントとして動作する。また、ＲＮＣ５２３は、図８に示した方法３００の実行に適用できる。
【０１１６】
Ｎｏｄｅ−Ｂ５２１は、端末機４１０の物理層から転送された情報をアップリンクで受信し、ダウンリンクで端末機４１０にデータを転送する。Ｎｏｄｅ−Ｂ５２１は、端末機４１０に対するＵＴＲＡＮ５２０のアクセスポイント又は送信器及び受信器として動作する。
【０１１７】
当該技術分野の通常の知識を持つ者であれば前述した本発明の実施形態が、例えば、処理器、他のデータやデジタル処理装置の単独形態、又は外付けのサポートロジック（ｅｘｔｅｒｎａｌ  ｓｕｐｐｏｒｔ  ｌｏｇｉｃ）と結合された形態によって容易に適用できることが分かる。
【０１１８】
本発明は、移動通信環境に基づいて説明されたが、ＰＤＡ及び無線通信能力を備えたラップトップコンピュータのような携帯装置を使用する全ての無線通信システムに使用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェースや他の物理層を使用する他の無線通信システムにも適用できる。
【０１１９】
前述した実施形態は、ソフトウェア、ファームウエア、ハードウェア又はこれらの組み合わせを生産するための標準プログラムや工学技術を使用する方法、装置又は製造物として実行できる。ここで、「製造物」という用語は、ハードウェアロジック（例：  集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例：  ハードディスクドライブ、フロッピー（登録商標）ディスク、テープなどの磁気記録媒体）、光学記録装置（ＣＤ−ＲＯＭ、光ディスクなど）、又は揮発性／不揮発性メモリ装置（例：  ＥＥＰＲＯＭ、ＲＯＭ、ＰＲＯＭ、ＲＡＭ、ＤＲＡＭ、ＳＲＡＭ、ファームウエア、プログラムロジックなど）において実行されるコードや論理に関するものである。コンピュータ可読媒体において、コードはプロセッサーにより接続及び実行される。前述した実施形態を実行するコードは伝送媒体を通じて、又はネットワーク上のファイルサーバーから接続することもできる。その場合、前記コードが実行される製造物は、ネットワークライン、無線伝送媒体、空間を通じて伝播される信号、無線波形、赤外線信号などの伝送媒体を含む。無論、当該技術分野の通常の知識を持つ者であれば、本発明の範囲から外れずにこのような形態の多様な変形が可能であり、前記製造物が公知の情報を伝達するいずれの手段をも含むことができるという点を理解すると思われる。
【０１２０】
図面に示された論理実行（ｌｏｇｉｃ  ｉｍｐｌｅｍｅｎｔａｔｉｏｎ）は、特定順序に従った特定動作によって説明されたが、これに代えて、他の順序を有するか、順序が変更及び削除された特定論理動作（ｌｏｇｉｃ  ｏｐｅｒａｔｉｏｎ）を実行することもでき、均等な他の実施形態において実行することもできる。また、前述した論理に過程がさらに追加されて本発明によって実行することもできる。
【０１２１】
前述した実施形態と利点は本発明を制限するものでなく、ただの例示にすぎない。本発明は、他の形態の装置にも容易に適用できる。本発明の説明は特許求求の権利範囲を制限するものでなく、ただの説明の便宜のためのものである。当該技術分野の通常の知識を持つ者であれば多様な代案、変更、変形が可能であることを理解すると思われる。請求項において、ミーンズプラスファンクションの項（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造まで含む。
【図面の簡単な説明】
【０１２２】
発明の理解を容易にするために添付された図面は、発明の多様な実施形態を示し、明細書と共に発明の原理を説明するためのものである。他の図で同一の参照番号が付けられた本発明の特徴、要素、観点は、１つ以上の実施形態による同一、同等、又は類似した特徴、要素、観点を示す。
【図１】一般的な３ＧＰＰ  ＵＭＴＳシステムのネットワーク構造を示す図である。
【図２】一般的なＵＭＴＳネットワークの基本構造の一例を示す図である。
【図３】従来技術によるＵＴＲＡＮが端末機のＲＲＣ接続要求を承認する過程を示す図である。
【図４】従来技術によるＵＴＲＡＮが端末機のＲＲＣ接続要求を拒否する過程を示す図である。
【図５】従来技術によるＲＲＣ接続設定メッセージとＲＲＣ接続拒否メッセージを処理する方法を示す図である。
【図６】本発明の方法によってＵＴＲＡＮが１つの端末機のＲＲＣ接続要求を承認して他の端末機のＲＲＣ接続要求を拒否する過程を示す図である。
【図７】本発明の一実施形態によってＲＲＣ接続設定メッセージ、ＲＲＣ接続必要メッセージ又はＲＲＣ接続不必要メッセージを処理する方法を示す図である。
【図８】本発明の一実施形態によってＲＲＣ接続設定メッセージ、ＲＲＣ接続必要メッセージ又はＲＲＣ接続不必要メッセージを送信する方法を示す図である。
【図９】本発明の一実施形態によってＲＲＣ接続設定メッセージ、ＲＲＣ接続必要メッセージ又はＲＲＣ接続不必要メッセージを処理する端末機を示す図である。
【図１０】本発明の一実施形態によってＲＲＣ接続設定メッセージ、ＲＲＣ接続必要メッセージ又はＲＲＣ接続不必要メッセージを送信するネットワークを示す図である。
【図１】
2006512875.tif 000003
【図２】
2006512875.tif 000004
【図３】
2006512875.tif 000005
【図４】
2006512875.tif 000006
【図５】
2006512875.tif 000007
【図６】
2006512875.tif 000008
【図７】
2006512875.tif 000009
【図８】
2006512875.tif 000010
【図９】
2006512875.tif 000011
【図１０】
2006512875.tif 000012
【国際調査報告】
2006512875.tif 000013
2006512875.tif 000014